(57)【要約】【課題】診断の見落としを防ぐことができる医用情報参照装置及び医用診断支援システムを提供する。【解決手段】被検体の検査により画像診断装置１０で生成された画像データ及び検体検査装置２０で生成された検体データを保存する記憶部４２と、記憶部４２に保存された画像データを表示する表示部４３と、表示部４３に表示された画像データに対して読影情報を入力する入力部４４と、記憶部４２及び表示部４３を制御する制御部４５とを備え、制御部４５は、入力部４４から入力された読影情報及び検体検査装置２０で生成された検体データに基づいて、被検体の異常に関する情報を表示部４３に表示させる。【選択図】  図１
2015158776.tif 000002
【特許請求の範囲】
【請求項１】
被検体の検査により生成された画像データ及び検体データを保存する記憶手段と、
前記画像データを表示する表示手段と、
前記画像データの読影情報を入力する入力手段と、
前記読影情報及び前記検体データに基づいて、前記被検体の異常に関する情報を前記表示手段に表示させる制御手段とを
備えたことを特徴とする医用情報参照装置。
【請求項２】
前記検体データに基づいて、前記被検体の異常の有無を判定する判定手段を有し、
前記制御手段は、前記判定手段により判定された判定情報に基づいて前記読影情報を確認することを特徴とする請求項１に記載の医用情報参照装置。
【請求項３】
前記制御手段は、前記判定情報に含まれる異常ありの情報に反する情報が前記読影情報に含まれている場合、前記被検体の異常に関する情報を表示させることを特徴とする請求項２に記載の医用情報参照装置。
【請求項４】
被検体の検査により生成された画像データ及び検体データを保存する記憶手段と、
前記画像データを表示する表示手段と、
前記画像データの読影情報を入力する入力手段と、
前記読影情報及び前記検体データに基づいて、前記被検体の異常に関する情報を前記表示手段に表示させる制御手段とを
備えたことを特徴とする医用診断支援システム。
【請求項５】
前記検体データに基づいて、前記被検体の異常の有無を判定する判定手段を有し、
前記記憶手段には、前記検査項目の所定の範囲を示す基準値と、各種病名、この病名に関連する検査項目及びこの検査項目の基準値よりも低い範囲を示す低値又は高い範囲を示す高値とが保存され、
前記判定手段は、
前記検査により得られた検査項目の検体データを前記基準値、前記低値又は前記高値の値に分類し、
前記検査により得られた全ての検査項目の検体データを分類した値が前記基準値に一致する場合、異常なしと判定し、
前記検査により得られた検査項目の検体データのうち、少なくとも１つの検査項目の検体データを分類した値が前記低値又は前記高値に一致する場合、且つ、前記検査が行われた検査項目の中に前記記憶手段に保存された病名に関連する検査項目が含まれている場合、当該病名に対する前記被検体の異常の有無を判定することを特徴とする請求項４に記載の医用診断支援システム。
【請求項６】
前記記憶手段には、前記検査以外の検査により得られた画像データ、前記病名に関連する検査項目の検体データ、並びに前記画像データ及び前記検体データの総合診断により得られた総合診断情報が保存され、
前記判定手段は、
前記検査以外の検査により得られた検査項目の検体データを前記基準値、前記低値又は前記高値の値に分類し、
前記検査により得られた前記病名に関連する検査項目の検体データを分類した値が、前記診断支援情報に含まれる前記病名に関連する検査項目の前記低値又は前記高値に一致する場合、異常あり、前記病名の病気の可能性ありと判定し、
前記検査により得られた前記病名に関連する検査項目の検体データのうち、少なくとも１つの検査項目の検体データを分類した値が、前記診断支援情報に含まれる前記病名に関連する前記１つの検査項目の前記低値又は前記高値と不一致である場合、前記検査により得られた前記病名に関連する検査項目の検体データを分類した値が、前記検査以外の検査により得られた前記病名に関連する検査項目の検体データを分類した値に一致し、且つ、前記総合診断情報に病名の情報が含まれているとき、類似の異常あり、前記総合診断情報に含まれる病名の病気の可能性ありと判定することを特徴とする請求項５に記載の医用診断支援システム。
【請求項７】
前記制御手段は、前記判定手段により判定された判定情報に基づいて前記読影情報を確認することを特徴とする請求項５又は請求項６に記載の医用診断支援システム。
【請求項８】
前記制御手段は、前記判定手段により判定された異常ありの情報に反する情報が前記読影情報に含まれている場合、前記被検体の異常に関する情報を表示させることを特徴とする請求項５乃至請求項７のいずれかに記載の医用診断支援システム。
【請求項９】
前記制御手段は、前記判定手段により異常ありと判定された前記被検体の病変部位の情報が前記読影情報に含まれていない場合、前記病変部位の情報を表示させることを特徴とする請求項５乃至請求項７のいずれかに記載の医用診断支援システム。
【請求項１０】
前記制御手段は、前記総合診断情報に前記判定部により判定された異常ありの情報に反する情報が含まれている場合、前記被検体の異常に関する情報を表示させることを特徴とする請求項６に記載の医用診断支援システム。
【発明の詳細な説明】
【技術分野】
【０００１】
本発明の実施形態は、検体検査装置から得られる各検査項目の検体データに基づいて診断を支援する医用情報参照装置及び医用診断支援システムに関する。
【背景技術】
【０００２】
Ｘ線診断装置、Ｘ線ＣＴ装置、ＭＲＩ装置、超音波診断装置、核医学診断装置等の画像データを生成する画像診断装置や、自動分析装置等の各検査項目の検体データを生成する検体検査装置は、ネットワークを介して医用情報保管装置に接続されている。そして、画像診断装置は画像データを含む医用画像情報を医用情報保管装置に送信し、検体検査装置は検体データを含む検体検査情報を医用情報保管装置に送信する。医用情報保管装置は、画像診断装置や検体検査装置から送信された医用画像情報や検体検査情報を保管する。
【０００３】
画像データの形式やネットワークを介して各装置間で行われる通信は、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）の規格に準拠して行われることが多く、医用情報保管装置にて圧縮等の処理が行われる。
【０００４】
医用情報保管装置は、ネットワークを介して医用情報参照装置に接続され、医用画像情報や検体検査情報を要求元の医用情報参照装置に配信する。医用情報参照装置は、医用情報保管装置から配信された医用画像情報の診断により作成された読影レポートや検体検査情報の診断により作成された検体検査レポートを医用情報保管装置に送信する。医用情報保管装置は、医用情報参照装置から送信された読影レポートや検体検査レポートを保管する。
【０００５】
ところで、医用画像情報や検体検査情報の診断は、それぞれの専門医によって分業して行われることが多い。また、検査数の多い健康診断の場合、医用画像情報及び検体検査情報の総合診断は、医用画像情報や検体検査情報を診断した専門医とは別の医師によって、分業して行われることが多い。
【先行技術文献】
【特許文献】
【０００６】
【特許文献１】特開２０１１−１４００７号公報
【発明の概要】
【発明が解決しようとする課題】
【０００７】
しかしながら、分業して診断が行われると、医用画像情報又は検体検査情報の一方で異常があると診断されても、他方で異常なしと診断されてしまう可能性がある。また、１人の医師が医用画像情報及び検体検査情報の診断を行うとき、診断対象の検査数が増加することにより、どちらかの異常を見落としてしまう可能性がある。いずれの場合も、総合診断の検査報告書を作成するときに、一方の異常を見落としてしまい、異常なしと判断されてしまう可能性がある。
【０００８】
実施形態は、上記問題点を解決するためになされたもので、診断の見落としを防ぐことができる医用情報参照装置及び医用診断支援システムを提供することを目的とする。
【課題を解決するための手段】
【０００９】
上記目的を達成するために、実施形態の医用情報参照装置は、被検体の検査により生成された画像データ及び検体データを保存する記憶手段と、前記画像データを表示する表示手段と、前記画像データの読影情報を入力する入力手段と、前記読影情報及び前記検体データに基づいて、前記被検体の異常に関する情報を前記表示手段に表示させる制御手段とを備えたことを特徴とする。
【図面の簡単な説明】
【００１０】
【図１】実施形態に係る医用診断支援システムの構成を示すブロック図。
【図２】実施形態に係る記憶部に保存された各検査項目の基準値の一覧を示す図。
【図３】実施形態に係る記憶部に保存された診断支援情報の一例を示す図。
【図４】実施形態に係る判定部の動作を示すフローチャート。
【図５】実施形態に係る被検体の検体検査情報の一例を示す図。
【図６】実施形態に係る記憶部に保存される判定情報の一例を示す図。
【図７】実施形態に係る記憶部に保存された総合診断情報の一例を示す図。
【図８】実施形態に係る表示部に表示された読影レポート画面の一例を示す図。
【発明を実施するための形態】
【００１１】
以下、図面を参照して実施形態を説明する。
【００１２】
図１は、実施形態に係る医用診断支援システムの構成を示した図である。この医用診断支援システム１００は、被検体の検査により画像データを生成するＸ線診断装置、Ｘ線ＣＴ装置、ＭＲＩ装置、超音波診断装置、核医学診断装置等の画像診断装置１０を備えている。また、被検体の検査として、被検体から採取された検体に含まれる各検査項目の成分の分析により検体データを生成する自動分析装置等の検体検査装置２０を備えている。
【００１３】
また、医用診断支援システム１００は、被検体の検査により画像診断装置１０から得られた被検体を識別する患者情報、検査を識別する検査情報及び画像データを含む医用画像情報や、被検体の検査により検体検査装置２０から得られた患者情報、検査情報及び検体データを含む検体検査情報を保存する医用情報保管装置３０を備えている。また、画像診断装置１０や検体検査装置２０から得られた医用画像情報や検体検査情報を表示する医用情報参照装置４０を備えている。
【００１４】
そして、画像診断装置１０は、ネットワーク５０を介して接続された医用情報保管装置３０に医用画像情報を送信する。また、検体検査装置２０は、ネットワーク５０を介して接続された医用情報保管装置３０に検体検査情報を送信する。また、医用情報保管装置３０は、ネットワーク５０を介して接続された医用情報参照装置４０に医用画像情報や検体検査情報を送信する。
【００１５】
また、医用情報参照装置４０は、読影レポートを作成するための医用画像情報の診断により得られた読影情報、検体検査レポートを作成するための検体検査情報の診断により得られた検体診断情報、検査報告書を作成するための医用画像情報及び検体検査情報等の総合診断により得られた総合診断情報を医用情報保管装置３０に送信する。
【００１６】
医用情報保管装置３０は、画像診断装置１０、検体検査装置２０及び医用情報参照装置４０から得られる医用画像情報、検体検査情報、読影情報、検体診断情報及び総合診断情報等の各情報を保存する記憶部３１を備えている。また、検体検査装置２０から得られた検体検査情報に基づいて検査毎に被検体の異常の有無を判定する判定部３２を備えている。また、ネットワーク５０を介して外部の各装置と情報の送受信を行う送受信部３３と、記憶部３１、判定部３２及び送受信部３３を制御する制御部３４とを備えている。
【００１７】
記憶部３１には、検体検査装置２０における各検査項目の検査で例えば健常者の９５％が当てはまる範囲を示す基準値が保存されている。また、各種病名、この病名に関連する検査項目及びこの検査項目の基準値に対する傾向を示す傾向値である、基準値よりも低い範囲を示す低値又は高い範囲を示す高値からなる診断支援情報が保存されている。
【００１８】
なお、基準値が性別や年齢で異なる検査項目については、区分した性別や年齢に応じた複数の基準値が保存されている。また、病名に関連する検査項目の基準値が性別や年齢で異なる場合、性別や年齢に応じた傾向値が保存されている。
【００１９】
また、記憶部３１には、検査毎にこの検査により画像診断装置１０及び検体検査装置２０から得られた医用画像情報及び検体検査情報の各情報が、この情報に含まれる氏名、年齢、性別等の患者情報に関連付けて保存されている。また、医用情報参照装置４０から得られた読影情報や総合診断情報、判定部３２で判定された判定結果の情報（判定情報）等が患者情報に関連付けて保存されている。
【００２０】
図２は、記憶部３１に保存された各検査項目の基準値の一欄を示した図である。この基準値の一覧３１１は、「項目」及び「範囲」の欄により構成される。そして、「項目」の欄には、「ＡＳＴ」、「ＡＬＴ」、「γ―ＧＴＰ」、「ＡＬＰ」、「Ｔ−Ｂｉｌ」及び「ＡＬＢ」等の検体検査装置２０で検査可能な各検査項目の項目名が略号で保存されている。
【００２１】
「範囲」の欄には、「項目」の欄に保存された各検査項目の基準値が保存されている。そして、「ＡＳＴ」の基準値の範囲を示す「１０〜３２  ＩＵ／Ｌ」及び「ＡＬＴ」の基準値の範囲を示す「８〜４２  ＩＵ／Ｌ」が保存されている。また、「γ−ＧＴＰ」の基準値の範囲を示す「１０〜４７  ＩＵ／Ｌ」及び「ＡＬＰ」の基準値の範囲を示す「１１５〜３５９  ＩＵ／Ｌ」が保存されている。また、「Ｔ−Ｂｉｌ」の基準値の範囲を示す「０．３〜１．２  ｍｇ／ｄＬ」及び「ＡＬＢ」の基準値の範囲を示す「３．８〜５．２  ｇ／ｄＬ」等が保存されている。
【００２２】
図３は、記憶部３１に保存された診断支援情報の一例を示した図である。この診断支援情報３１２は、「種類」、「項目」及び「範囲に対する値」の欄により構成される。そして、「種類」の欄には、「肝機能障害」等の病名の情報が保存されている。また、「項目」の欄には、「種類」の欄に保存された病名毎にこの病名に関連する検査項目の情報が保存されている。そして、「肝機能障害」に関連する検査項目として「ＡＳＴ」、「ＡＬＴ」、「γ―ＧＴＰ」、「Ｔ−Ｂｉｌ」及び「ＡＬＢ」の５つの検査項目の情報が保存されている。
【００２３】
また、「範囲に対する値」の欄には、「項目」の欄に保存された各検査項目の傾向値が保存されている。そして、病名が「肝機能障害」である場合、「ＡＳＴ」、「ＡＬＴ」、「γ―ＧＴＰ」及び「Ｔ−Ｂｉｌ」の傾向値が、高値であることを示す「高」の情報が保存されている。また、「ＡＬＢ」の傾向値が低値であることを示す「低」の情報が保存されている。
【００２４】
図１に示した判定部３２は、各検査項目の検体データを、基準値又は基準値から外れた範囲である異常値に分類する。そして、異常値である場合、低値又は高値の値に分類する。次いで、記憶部３１に保存された診断支援情報３１２及び分類した値に基づいて、被検体の異常の有無を判定する。
【００２５】
そして、被検体の検査により得られた全ての検査項目の検体データを分類した値が基準値に一致する場合、被検体に異常なしと判定する。また、検査により得られた検査項目の検体データのうち、少なくとも１つの検査項目の検体データを分類した値が異常値に一致する場合、且つ、検査が行われた検査項目の中に記憶部３１に保存された病名に関連する検査項目が含まれている場合、前記病名に対する被検体の異常の有無を判定する。
【００２６】
次いで、判定部３２は、記憶部３１に保存された病名に対する被検体の異常の有無を判定する。そして、被検体の検査により得られた前記病名に関連する検査項目の検体データを分類した値が、診断支援情報３１２に含まれる前記病名に関連する検査項目の傾向値に一致する場合、被検体に異常あり、前記病名の病気の可能性ありと判定する。また、被検体の検査により得られた前記病名に関連する検査項目の検体データのうち、少なくとも１つの検査項目の検体データを分類した値が、診断支援情報３１２に含まれる前記病名に関連する前記１つの検査項目の傾向値と不一致である場合、被検体の検査が行われた検査項目を含む検体検査情報を、記憶部３１に保存された総合診断情報を備える他の検査により得られた検体検査情報の中から検索する。
【００２７】
次いで、検索した検体検査情報に基づいて類似の異常の有無を判定する場合、被検体の検査により得られた前記病名に関連する検査項目の検体データを分類した値が、記憶部３１に保存された他の検査により得られた前記病名に関連する検査項目の検体データを分類した値に一致し、且つ、他の検査の総合診断により得られた総合診断情報に前記病名の情報が含まれているとき、類似の異常あり、総合診断情報に含まれる病名の病気の可能性ありと判定する。
【００２８】
また、被検体の検査により得られた前記病名に関連する検査項目の検体データのうち、少なくとも１つの検査項目の検体データを分類した値が、他の検査により得られた前記病名に関連する前記１つの検査項目の検体データを分類した値と不一致である場合、類似の異常なしと判定する。
【００２９】
なお、基準値が性別や年齢で異なる検査項目については、検体検査情報の患者情報に含まれる性別や年齢に応じた基準値に対する低値又は高値の傾向値に分類する。そして、分類した値及び記憶部３１に保存された性別や年齢に応じた傾向値に基づいて、被検体の異常の有無を判定する。
【００３０】
また、基準値の下限よりも低い所定の範囲を下限値とし、下限値よりも低い値を低値とする。また、基準値の上限よりも高い所定の範囲を上限値とし、上限値よりも高い値を高値とする。そして、各病名に関連する検査項目の傾向値を、低値、下限値、上限値又は高値に分類した診断支援情報を用いて、被検体の異常の有無を判定するように実施してもよい。
【００３１】
送受信部３３は、画像診断装置１０から送信された医用画像情報を受信して記憶部３１に出力する。また、検体検査装置２０から送信された検体検査情報を受信して記憶部３１及び判定部３２に出力する。また、医用情報参照装置４０から送信された読影情報や総合診断情報を受信して記憶部３１や判定部３２に出力する。また、判定部３２から出力された判定情報等を医用情報参照装置４０に送信する。
【００３２】
医用情報参照装置４０は、ネットワーク５０を介して医用情報保管装置３０から送信された医用画像情報、検体検査情報及び判定情報等の各情報を受信する送受信部４１を備えている。また、送受信部４１で受信した各情報を保存する記憶部４２を備えている。また、記憶部４２に保存された各情報を表示する例えばＣＲＴディスプレイ、液晶ディスプレイ又は有機ＥＬディスプレイ等を有する表示部４３を備えている。また、読影情報や総合診断情報等を入力する入力部４４と、送受信部４１、記憶部４２及び表示部４３を制御する制御部４５とを備えている。
【００３３】
表示部４３は、記憶部４２に保存された医用画像情報、検体検査情報、及び判定情報の各情報を表示する。また、医用画像情報及び検体検査情報を並べて表示する。また、医用画像情報、検体検査情報及び判定情報を並べて表示する。また、入力部４４から入力された読影情報や総合診断情報を表示する。
【００３４】
入力部４４は、マウス、スイッチ、キーボード等の入力デバイスを備えている。そして、表示部４３に表示された医用画像情報を参照して読影レポートを作成する操作者の診断により得られた読影情報を入力する。また、表示部４３に表示された検体検査情報を参照して検体検査レポートを作成する操作者の診断により得られた検体診断情報を入力する。また、医用画像情報及び検体検査情報等を参照して検査報告書を作成する操作者の総合診断により得られた総合診断情報を入力する。
【００３５】
制御部４５は、記憶部４２に保存された判定情報に基づいて、入力部４４から入力された読影情報を確認する。そして、判定情報に含まれる異常ありの情報に反する情報が読影情報に含まれている場合、被検体の異常に関する不一致の情報を表示部４３に表示させる。また、記憶部４２に保存された判定情報に基づいて、入力部４４から入力された総合診断情報を確認する。そして、判定情報に含まれる異常ありの情報に反する情報が総合診断情報に含まれている場合、被検体の異常に関する不一致の情報を表示部４３に表示させる。
【００３６】
なお、医用情報保管装置３０の記憶部３１に保存された各検査項目の基準値及び診断支援情報３１２を記憶部４２に保存し、医用情報保管装置３０の判定部３２と同様に機能する判定部を医用情報参照装置４０に設け、医用情報参照装置４０で、各検査項目の基準値及び診断支援情報３１２に基づいて、検査が行われた被検体の異常の有無を判定するように実施してもよい。この場合、被検体の検査により得られた病名に関連する検査項目の検体データのうち、少なくとも１つの検査項目の検体データを分類した値が、診断支援情報３１２に含まれる病名に関連する前記１つの検査項目の傾向値と不一致であるとき、被検体の検査が行われた検査項目を含む検体検査情報を、総合診断情報を備える他の検査により得られた検体検査情報を保存する記憶部３１の検索により判定部３２から得るようにする。そして、得られた検体検査情報に基づいて類似の異常の有無を判定する。
【００３７】
以下、図１乃至８を参照して、医用診断支援システム１００の動作の一例を説明する。
【００３８】
図４は、医用情報保管装置３０における判定部３２の動作を示したフローチャートである。 
画像診断装置１０は、被検体の検査により生成した画像データ及び患者情報を含む医用画像情報を医用情報保管装置３０に送信する。また、検体検査装置２０は、被検体の各検査項目の検査により生成した検体データ及び患者情報を含む検体検査情報を医用情報保管装置３０に送信する。
【００３９】
医用情報保管装置３０の送受信部３３は、画像診断装置１０から送信された被検体の医用画像情報を記憶部３１に出力する。また、検体検査装置２０から送信された被検体の検体検査情報を記憶部３１及び判定部３２に出力する。記憶部３１は、送受信部３３から出力された医用画像情報及び検体検査情報を保存する。判定部３２は、送受信部３３から検体検査情報が出力されると、動作を開始する（ステップＳ１）。
【００４０】
なお、医用情報参照装置４０における入力部４４からの検体検査情報の表示を要求する入力に応じて、判定部３２の動作を開始させるようにしてもよい。
【００４１】
このように、検体検査装置２０からの検体検査情報の受信に応じて判定動作を開始させ、その判定より得られる判定情報を記憶部３１に保存することにより、検体検査情報の診断や、検体検査情報及び医用画像情報の総合診断が行われるとき、判定情報により診断を支援することができる。
【００４２】
判定部３２は、記憶部３１に保存された各検査項目の基準値及び診断支援情報、並びに検体検査情報に基づいて、前記被検体の異常の有無を判定するために検体データを分類する。
【００４３】
ここで、図５に示すように、例えば患者情報Ａ１で識別される被検体Ａの検体検査情報には、「ＡＳＴ」、「ＡＬＴ」、「γ−ＧＴＰ」、「Ｔ−Ｂｉｌ」及び「ＡＬＢ」の検査項目が含まれている。そして、「ＡＳＴ」の検体データは「４０  ＩＵ／Ｌ」であることから、図２に示した基準値よりも高い高値に分類される。また、「ＡＬＴ」の検体データは「５０  ＩＵ／Ｌ」であることから高値に分類され、「γ−ＧＴＰ」の検体データは「１１２  ＩＵ／Ｌ」であることから高値に分類される。また、「Ｔ−Ｂｉｌ」の検体データは「２．４  ｍｇ／ｄＬ」であることから高値に分類され、「ＡＬＢ」の検体データは「２．０  ｇ／ｄＬ」であることから低値に分類される。
【００４４】
また、図５に示すように、患者情報Ｂ１で識別される被検体Ｂの検体検査情報には、被検体Ａと同じ検査項目が含まれている。そして、「ＡＳＴ」の検体データは「４２  ＩＵ／Ｌ」であることから高値に分類され、「ＡＬＴ」の検体データは「４８  ＩＵ／Ｌ」であることから高値に分類される。また、「γ−ＧＴＰ」の検体データは「３８  ＩＵ／Ｌ」であることから基準値に分類され、「Ｔ−Ｂｉｌ」の検体データは「０．８  ｍｇ／ｄＬ」であることから基準値に分類される。また、「ＡＬＢ」の検体データは「３．９  ｇ／ｄＬ」であることから基準値に分類される。なお、基準値に分類した場合には、記憶部３１に「正」の情報が保存される。
【００４５】
以下では、検査により得られた全ての検査項目の検体データうち、少なくとも１つの検査項目の検体データを分類した値が異常値である場合の例について説明する。
【００４６】
判定部３２は、検査により得られた病名に関連する検査項目の検体データを分類した値が、記憶部３１に保存された診断支援情報３１２に含まれる前記病名に関連する検査項目の傾向値に一致する場合（ステップＳ２のはい）、ステップＳ３へ移行する。また、検査により得られた病名に関連する検査項目の検体データのうち、少なくとも１つの検査項目の検体データを分類した値が、診断支援情報３１２に含まれる前記病名に関連する前記１つの検査項目の傾向値と不一致である場合（ステップＳ２のいいえ）、ステップＳ４へ移行する。
【００４７】
ステップＳ２の「はい」の後、判定部３２は、異常あり、分類した値と傾向値が一致する検査項目に関連する病名の病気の可能性ありと判定し、その判定情報を被検体の患者情報に関連付けて記憶部３１に保存する（ステップＳ３）。その後、ステップＳ９へ移行する。
【００４８】
ここで、被検体Ａの検査により得られた「ＡＳＴ」、「ＡＬＴ」、「γ−ＧＴＰ」、「Ｔ−Ｂｉｌ」及び「ＡＬＢ」が、診断支援情報３１２に含まれる「肝機能障害」の病名に関連する検査項目である。そして、被検体Ａの検査により得られた「肝機能障害」の病名に関連する検査項目の検体データを分類した値が、診断支援情報３１２に含まれる「肝機能障害」の病名に関連する検査項目の傾向値に一致するため、異常あり、肝機能障害の可能性があると判定する。そして、図６に示すように、例えば「異常あり：肝機能障害」等の判定情報を患者情報Ａ１に関連付けて記憶部３１に保存する。
【００４９】
このように、記憶部３１に保存された各検査項目の基準値及び診断支援情報３１２に基づいて、被検体Ａの検査により得られた各検査項目の検体データから、被検体Ａの異常の有無を判定することができる。そして、被検体Ａに異常があるとき、病名を推測することができる。
【００５０】
また、被検体Ｂの検査により得られた「ＡＳＴ」、「ＡＬＴ」、「γ−ＧＴＰ」、「Ｔ−Ｂｉｌ」及び「ＡＬＢ」が、診断支援情報３１２に含まれる「肝機能障害」の病名に関連する検査項目である。そして、被検体Ａの検査により得られた「肝機能障害」の病名に関連する検査項目の検体データのうち、「γ−ＧＴＰ」、「Ｔ−Ｂｉｌ」及び「ＡＬＢ」の検体データを分類した値が、診断支援情報３１２に含まれる「肝機能障害」の病名に関連する前記検査項目の傾向値と不一致であるため、異常なしと判定する。
【００５１】
ステップＳ２の「いいえ」の後、判定部３２は、記憶部３１に保存された他の検査により得られた検体検査情報に含まれる各検査項目の検体データを検索する。そして、検査により得られた病名に関連する検査項目の検体データを分類した値が、記憶部３１に保存される他の検査により得られた前記病名に関連する検査項目の検体データを分類した値に一致する場合（ステップＳ４のはい）、ステップＳ５へ移行する。また、検査により得られた病名に関連する検査項目の検体データのうち、少なくとも１つの検査項目の検体データを分類した値が、記憶部３１に保存される他の検査により得られた前記病名に関連する検査項目の検体データうち、前記１つの検査項目の検体データを分類した値と不一致である場合（ステップＳ４のいいえ）、ステップＳ６へ移行する。
【００５２】
ステップＳ４の「はい」の後、記憶部３１に保存された他の検査により得られた総合診断情報に病名情報が含まれている場合（ステップＳ５のはい）、ステップＳ７へ移行する。また、他の検査により得られた総合診断情報に病名情報が含まれていない場合（ステップＳ５のいいえ）、ステップＳ８へ移行する。
【００５３】
ステップＳ４の「いいえ」の後、判定部３２は、類似の異常なしと判定し、その判定情報を被検体の患者情報に関連付けて記憶部３１に保存する（ステップＳ６）。その後、ステップＳ９へ移行する。
【００５４】
ステップＳ５の「はい」の後、判定部３２は、類似の異常あり、総合診断情報に含まれる病名の病気の可能性ありと判定し、その判定情報を被検体の患者情報に関連付けて記憶部３１に保存する（ステップＳ７）。その後、ステップＳ９へ移行する。
【００５５】
ステップＳ５の「いいえ」の後、判定部３２は、類似の異常なしと判定し、その判定情報を被検体の患者情報に関連付けて記憶部３１に保存する（ステップＳ８）。その後、ステップＳ９へ移行する。
【００５６】
図７は、記憶部３１に保存された総合診断情報の一例を示した図である。この総合診断情報３１３は、患者情報Ｚ１で識別される被検体Ｚの医用画像情報、検体検査情報及び判定情報に基づく総合診断により得られた情報である。そして、被検体Ｚの総合診断情報には、「肝臓癌の疑いあり」の病名情報が含まれている。
【００５７】
被検体Ｚの検体検査情報には「肝機能障害」に関連する「ＡＳＴ」、「ＡＬＴ」、「γ−ＧＴＰ」、「Ｔ−Ｂｉｌ」及び「ＡＬＢ」の検査項目が含まれ、「ＡＳＴ」の検体データは「４０  ＩＵ／Ｌ」であることから高値に分類されている。また、「ＡＬＴ」の検体データは「４９  ＩＵ／Ｌ」であることから高値に分類され、「γ−ＧＴＰ」の検体データは「３９  ＩＵ／Ｌ」であることから基準値に分類されている。また、「Ｔ−Ｂｉｌ」の検体データは「０．７ｍｇ／ｄＬ」であることから高値に分類され、「ＡＬＢ」の検体データは「３．８ｇ／ｄＬ」であることから基準値に分類されている。
【００５８】
ここで、被検体Ｂの場合、検査により得られた「肝機能障害」の病名に関連する検査項目の検体データを分類した値が、記憶部３１に保存された被検体Ｚの検査により得られた「肝機能障害」の病名に関連する検査項目の検体データを分類した値に一致し、且つ、被検体Ｚの総合診断情報に「肝臓癌の疑いあり」の病名情報が含まれているため、類似の異常あり、肝臓癌の可能性ありと判定する。そして、図６に示すように、例えば「類似の異常あり：肝臓癌」等の判定情報を患者情報Ｂ１に関連付けて記憶部３１に保存する。
【００５９】
このように、記憶部３１に保存された各検査項目の基準値、診断支援情報３１２及び被検体Ｂの検査により得られた各検査項目の検体データに基づいて、被検体Ｂに異常なしと判定した場合、記憶部３１に保存された他の検査により得られた各検査項目の検体データ及び総合診断情報に基づいて、被検体Ｂの類似の異常の有無を判定することができる。そして、類似の異常があるとき、病名を推測することができる。
【００６０】
図４のステップＳ３、ステップＳ６、ステップＳ７又はステップＳ８のいずれかのステップの後、判定部３２は動作を終了する（ステップＳ９）。
【００６１】
ステップＳ９の後、医用情報参照装置４０の操作者の操作により、例えば被検体Ａの医用画像情報に対する読影レポートを作成するために、入力部４４から患者情報Ａ１の入力が行われると、患者情報Ａ１の入力に応じて医用情報保管装置３０から送信され、送受信部４１で受信した被検体Ａの医用画像情報及び判定情報が記憶部４２に保存される。そして、被検体Ａの医用画像情報を含む読影レポート画面が表示部４３に表示される。操作者は、表示部４３に表示された医用画像情報を参照して診断を行う。この診断により得られた読影情報の入力が入力部４４から行われる。
【００６２】
図８は、表示部４３に表示された読影レポート画面の一例を示した図である。この読影レポート画面４３１は、患者情報が表示された患者の欄と、検査情報が表示された検査の欄と、画像データが表示された画像の欄と、入力部４４から入力される読影情報である、画像データに対する所見が表示される所見の欄及び所見に対するまとめが表示されるＩｍｐｒｅｓｓｉｏｎの欄とにより構成される。
【００６３】
そして、画像データの診断により、入力部４４からＩｍｐｒｅｓｓｉｏｎの欄に例えば「異常なし」の読影情報が入力される。次いで、読影レポートを確定する入力が行われると、制御部４５は、記憶部４２に保存された被検体Ａの判定情報に基づいて、入力された読影情報を確認する。
【００６４】
ここで、被検体Ａの判定情報は「異常あり：肝機能障害」であるため、読影情報に含まれる「異常なし」とは反する情報であることを確認する。そして、表示部４３に例えば“異常なしと判断されましたが、検体検査情報からは肝機能障害が疑われます。再度、検体検査情報を見直してください。”等の不一致情報を表示させる。
【００６５】
このように、医用画像情報の診断により得られた読影情報に判定部３２の異常ありの判定情報に反する情報が含まれている場合、被検体Ａの異常に関する不一致の情報を表示部４３に表示させることにより、診断の見落としの可能性があることを操作者に気づかせることができる。
【００６６】
なお、例えば被検体Ｂの画像データの診断により、入力部４４から所見の欄に例えば“胸部に大きな腫瘤が認められる。”等の読影情報が入力されると、制御部４５では、被検体Ｂの判定情報に基づいて、入力された読影情報を確認する。そして、判定情報に肝臓癌の情報が含まれ、読影情報には判定情報に含まれる病変部位の情報が含まれていないと認識し、更に肝臓癌が肝臓か腹部のいずれかに発現することが明白であることから、読影レポートの所見の欄を判定情報に含まれる病変部位の情報を加味した例えば“肝臓または腹部に腫瘤がある。”等の読影情報に変換処理する。そして、所見の欄に変換処理した読影情報を表示させる。
【００６７】
このように、医用画像情報の診断により得られた読影情報に判定部３２により判定された病変部位の情報が含まれていない場合、その病変部位の情報を表示部４３に表示させることにより、診断の見落としの可能性があることを操作者に気づかせることができる。
【００６８】
次に、被検体Ａの総合診断情報に例えば異常なしの情報が含まれる場合の例について以下に説明する。
【００６９】
ステップＳ９の後、医用情報参照装置４０の操作者の操作により、被検体Ａの総合的な検査報告書を作成するために、入力部４４から患者情報Ａ１の入力が行われる。この入力に応じて医用情報保管装置３０から送信され、送受信部４１で受信した被検体Ａの医用画像情報及び読影レポートを含む検査報告書、並びに判定情報が記憶部４２に保存される。そして、被検体Ａの検体検査情報及び読影レポートを含む検査報告書が表示部４３に表示される。
【００７０】
操作者により、表示部４３に表示された検査報告書を参照して総合診断が行われる。この総合診断により得られた総合診断情報が入力部４４から入力される。次いで、検査報告書を確定する入力が行われると、制御部４５は、記憶部４２に保存された被検体Ａの判定情報に基づいて総合診断情報を確認する。そして、判定情報に含まれる異常ありの情報に反する情報が総合診断情報に含まれている場合、読影情報の場合と同様にして判定情報に基づく不一致の情報を表示部４３に表示させる。
【００７１】
このように、医用画像情報及び検体検査情報等の総合診断により得られた総合診断情報に判定部３２の異常ありの判定情報に反する情報が含まれている場合、判定情報に基づく不一致情報を表示部４３に表示させることにより、診断の見落としの可能性があることを操作者に気づかせることができる。
【００７２】
以上述べた実施形態によれば、各検査項目の基準値及び診断支援情報３１２を記憶部３１に保存し、被検体の検査により得られた検査項目の検体データ、各検査項目の基準値及び診断支援情報３１２に基づいて被検体の異常の有無を判定することができる。そして、検査により得られた病名に関連する検査項目の検体データを分類した値が、診断支援情報３１２に含まれる前記病名に関連する検査項目の傾向値に一致する場合、異常あり、当該病名の可能性ありと判定することができる。
【００７３】
また、被検体の検査により得られた病名に関連する検査項目の検体データのうち、少なくとも１つの検査項目の検体データを分類した値が、診断支援情報３１２に含まれる前記病名に関連する前記１つの検査項目の傾向値と不一致である場合、検査により得られた病名に関連する検査項目の検体データを分類した値が、記憶部３１に保存される他の検査により得られた前記病名に関連する検査項目の検体データを分類した値に一致し、且つ、他の検査により得られた総合診断情報に病名の情報が含まれているとき、類似の異常あり、総合診断情報に含まれる病名の病気の可能性ありと判定することができる。
【００７４】
そして、入力部４４から入力された読影情報又は総合診断情報が判定部３２により異常ありと判定された判定情報とは反する情報である場合、表示部４３に、その判定情報に基づく不一致情報を表示させることができる。これにより、診断の見落としの可能性があることを操作者に気づかせることが可能となり、診断の見落としを防ぐことができる。
【００７５】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７６】
１０  画像診断装置
２０  検体検査装置
３０  医用情報保管装置
３１，４２  記憶部
３２  判定部
３３，４１  送受信部
４０  医用情報参照装置
４３  表示部
４４  入力部
４５  制御部
１００  医用診断支援システム
【図１】
2015158776.tif 000003
【図２】
2015158776.tif 000004
【図３】
2015158776.tif 000005
【図４】
2015158776.tif 000006
【図５】
2015158776.tif 000007
【図６】
2015158776.tif 000008
【図７】
2015158776.tif 000009
【図８】
2015158776.tif 000010